(57)【要約】      （修正有）【課題】ユーザに最適の通信サービスを提供できる通信品質情報提供装置および方法を提供する。【解決手段】通信品質の視覚化情報提供システム１００は、通信品質を取得し、取得した通信品質情報を地理情報にマッピングして通信品質の視覚化情報を生成し、ユーザの要求に応じて、対応する通信品質の視覚化情報を提供する。【選択図】図２
2012114895.tif 000002
【特許請求の範囲】
【請求項１】
通信品質情報を提供する装置であって、
ユーザからの収集命令を受信して、移動しながら各自の通信方式に該当する通信品質情報を取得する少なくとも一つの通信モジュールと、
前記収集命令に応じて前記装置の位置情報を取得する位置検出部と、
前記収集命令に応じて映像を撮影して映像情報を取得し、前記映像情報を対応する地理情報にマッピングして映像地理情報を生成する映像撮影部と、
前記位置情報および前記映像地理情報の少なくとも一つと前記通信品質情報を同期化して通信品質の視覚化情報を生成する視覚化装置と、
を含むことを特徴とする通信品質情報提供装置。
【請求項２】
前記通信品質の視覚化情報を保存する通信品質データベースと、
ユーザからの情報要求命令を受信して、前記通信品質データベースから前記情報要求命令に対応する通信品質の視覚化情報を前記ユーザに提供する制御部と、
をさらに含むことを特徴とする請求項１に記載の通信品質情報提供装置。
【請求項３】
前記制御部は、前記通信品質の視覚化情報を、通信網を通じて管理サーバに保存し、
前記情報要求命令に対応する通信品質の視覚化情報が前記通信品質データベースにない場合に、前記管理サーバへ要求して、前記ユーザに提供することを特徴とする請求項２に記載の通信品質情報提供装置。
【請求項４】
ユーザからの情報要求命令に応じて、前記通信品質の視覚化情報をウェブで提供する制御部をさらに含むことを特徴とする請求項１に記載の通信品質情報提供装置。
【請求項５】
ユーザからの情報要求命令に応じて、前記通信品質の視覚化情報を地図で提供する制御部をさらに含むことを特徴とする請求項１に記載の通信品質情報提供装置。
【請求項６】
前記位置検出部は、衛星信号から前記装置の位置情報を取得することを特徴とする請求項１に記載の通信品質情報提供装置。
【請求項７】
前記位置検出部は、前記衛星信号の強度が閾値以下である場合に、方位および位置センサを用いて前記装置の位置情報を取得することを特徴とする請求項６に記載の通信品質情報提供装置。
【請求項８】
前記映像情報は、写真情報を含むことを特徴とする請求項１に記載の通信品質情報提供装置。
【請求項９】
前記映像撮影部は、前記地理情報の更新を確認して、前記地理情報を更新することを特徴とする請求項１に記載の通信品質情報提供装置。
【請求項１０】
通信品質情報提供装置における通信品質情報提供方法であって、
ユーザから収集命令を受信するステップと、
前記収集命令に応じて通信品質情報を取得するステップと、
前記収集命令に応じて前記通信品質情報提供装置の位置情報を取得するステップと、
前記通信品質情報と前記位置情報とを地理情報にマッピングして、通信品質の視覚化情報を提供するステップと、
を含むことを特徴とする通信品質情報提供方法。
【請求項１１】
前記収集命令に応じて映像情報を取得するステップをさらに含み、
前記提供するステップは、前記地理情報に前記映像情報を追加マッピングして、前記通信品質の視覚化情報を生成するステップを含むことを特徴とする請求項１０に記載の通信品質情報提供方法。
【請求項１２】
前記提供するステップは、マッピングする前に前記通信品質情報と前記位置情報および前記映像情報を同期化させるステップをさらに含むことを特徴とする請求項１１に記載の通信品質情報提供方法。
【請求項１３】
前記通信品質情報を取得するステップは、
受信可能な通信方式の通信信号を受信するステップと、
前記通信信号から通信品質情報を測定するステップと、を含むことを特徴とする請求項１０に記載の通信品質情報提供方法。
【請求項１４】
前記位置情報を取得するステップは、
衛星信号を受信するステップと、
前記衛星信号の強度が閾値よりも大きい場合に、前記衛星信号から位置を計算するステップと、
前記衛星信号の強度が前記閾値以下である場合に、方位および位置センサを用いて前記位置を計算するステップと、を含むことを特徴とする請求項１０に記載の通信品質情報提供方法。
【請求項１５】
通信品質情報提供装置における通信品質情報提供方法であって、
ユーザから少なくとも地域情報を含む情報要求を受信するステップと、
前記情報要求に対応する通信品質の視覚化情報を提供するステップと、を含み、
前記通信品質の視覚化情報は、通信品質情報が地理情報にマッピングされて生成された情報であることを特徴とする通信品質情報提供方法。
【請求項１６】
前記地理情報は、３次元の映像地理情報を含むことを特徴とする請求項１５に記載の通信品質情報提供方法。
【請求項１７】
前記提供するステップは、前記通信品質の視覚化情報を、ウェブを通じて提供するステップを含むことを特徴とする請求項１５に記載の通信品質情報提供方法。
【請求項１８】
前記提供するステップは、前記通信品質の視覚化情報を、地図を通じて提供するステップを含むことを特徴とする請求項１５に記載の通信品質情報提供方法。
【請求項１９】
前記提供するステップは、
前記装置が管理する通信品質データベースに前記情報要求に対応する通信品質の視覚化情報が存在するか否かを確認するステップと、
前記通信品質データベースに前記情報要求に対応する通信品質の視覚化情報が存在しない場合に、通信網を通じて前記通信品質の視覚化情報を総括管理する管理サーバに要求して、提供するステップと、を含むことを特徴とする請求項１５に記載の通信品質情報提供方法。
【請求項２０】
ユーザの個人通信装置から位置情報および映像情報の少なくとも一つと通信品質情報を受信するステップをさらに含み、
前記提供するステップは、
前記個人通信装置から受信した位置情報および映像情報の少なくとも一つと通信品質情報を用いて、前記通信品質の視覚化情報を生成するステップを含むことを特徴とする請求項１５に記載の通信品質情報提供方法。
【発明の詳細な説明】
【技術分野】
【０００１】
本発明は、通信品質情報提供装置および方法に関するものである。
【背景技術】
【０００２】
インターネット地図サービスは、パーソナルコンピュータやノートパソコン、携帯電話等のような携帯用端末装置に内蔵されたウェブブラウザで使用可能な地図サービスである。インターネット地図サービスは、位置により、企業位置、連絡先および運転経路をはじめ、現地企業情報などを提供する。
【０００３】
代表的なグーグル地図サービスは、リアルタイムに近い更新により、世界中から集めた距離および地域情報を自社のウェブサイトを通じて無料で提供し、「航空ビュ−」機能と連係して様々な地点での実際空間の様子を提供している。しかし、グーグル地図サービスや他の地理情報システム（Ｇｅｏｇｒａｐｈｉｃ  Ｉｎｆｏｒｍａｔｉｏｎ  Ｓｙｓｔｅｍ，ＧＩＳ）基盤の地図サービスでは、ネットワークの陰影地域の解消および通信量の負荷分散の解決、サービスによる接続ネットワークの選択などの通信品質関連情報を提供していない。
【０００４】
一般に、無線通信サービスはインターネットサービス事業者（Ｉｎｔｅｒｎｅｔ  Ｓｅｒｖｉｃｅ  Ｐｒｏｖｉｄｅｒ，ＩＳＰ）を主軸として行われており、家庭や小規模の企業では、無線インターネットの使用の増加によりインターネット有／無線共有器を用いてインターネットサービスを利用する。無線ＬＡＮの場合、帯域内の使用量が最も少ないチャネルを探索してサービスするアルゴリズムがあり、周波数の混信とＡＰ（Ａｃｃｅｓｓ  Ｐｏｉｎｔ）との距離差などにより速度低下が発生する。
【０００５】
無線インターネットサービスを提供する方法の中でＩＳＰで提供する無線通信接続プログラムは、ＩＳＰで直接提供する無線ＬＡＮ装置だけでなく、無線ＬＡＮ受信範囲内にある全ての装置のチャネル情報および信号の強度情報を提供する。しかし、現在位置の範囲内に存在する装置のみ知らせるだけで、移動性を保証する情報および他の通信方式に関する情報は提供していない。
【０００６】
また、ＩＳＰが提供するウェブ方式である「ワイファイゾーン（Ｗｉ−Ｆｉ  Ｚｏｎｅ）」のような地域サービスは、ＩＳＰが設けた無線通信サービス地域を地図または目録で示すことでサービス地域を表示するが、リアルタイム性が劣り、ＩＳＰが提供する装置のみ地図または目録で示している。
【０００７】
また、ネットワークインターフェースカ−ド（Ｎｅｔｗｏｒｋ  Ｉｎｔｅｒｆａｃｅ  Ｃａｒｄ，ＮＩＣ）提供会社で提供する接続プログラムも、無線ＬＡＮ受信範囲内にある全ての装置のチャネル情報および信号の強度情報を提供するが、現在位置の範囲内に存在する装置のみ知らせるだけで、移動性を保証する情報および他の通信方式に関する互換性（ｃｏｍｐａｔｉｂｉｌｉｔｙ）は提供していない。
【０００８】
つまり、ユーザは、現在位置以外の地域や他の通信方式に関する通信品質関連情報を確認することができないため、最適の通信品質を維持しながらサービス提供を受けることは困難である。
【先行技術文献】
【特許文献】
【０００９】
【特許文献１】日本特許出願公開第２００８−１５３８５８号
【特許文献２】韓国特許出願公開第２００５−００１９３４８号
【特許文献３】韓国特許出願公開第２００８−００２８６９８号
【発明の概要】
【発明が解決しようとする課題】
【００１０】
本発明が解決しようとする技術的課題は、ユーザに最適の通信サービスを提供できる通信品質情報提供装置および方法を提供することである。
【課題を解決するための手段】
【００１１】
本発明の一実施形態によれば、通信品質情報を提供する装置が提供される。通信品質情報提供装置は、少なくとも一つの通信モジュール、位置検出部、映像撮影部、また視覚化装置を含む。少なくとも一つの通信モジュールは、ユーザから収集命令を受信して、移動しながら各自の通信方式に該当する通信品質情報を取得する。位置検出部は、前記収集命令に応じて前記装置の位置情報を取得する。映像撮影部は、前記収集命令に応じて映像を撮影して映像情報を取得し、前記映像情報を対応する地理情報にマッピングして映像地理情報を生成する。また、視覚化装置は、前記位置情報および前記映像地理情報の少なくとも一つと前記通信品質情報を同期化させ、通信品質の視覚化情報を生成する。
【００１２】
本発明の他の一実施形態によれば、通信品質情報提供装置における通信品質情報の提供方法が提供される。通信品質情報の提供方法は、ユーザから収集命令を受信するステップと、前記収集命令に応じて通信品質情報を取得するステップと、前記収集命令に応じて前記通信品質情報提供装置の位置情報を取得するステップと、また前記通信品質情報と前記位置情報とを地理情報にマッピングして、通信品質の視覚化情報を提供するステップとを含む。
【００１３】
本発明のまた他の実施形態によれば、通信品質情報提供装置における通信品質情報の提供方法が提供される。通信品質情報の提供方法は、ユーザから少なくとも地域情報を含む情報要求を受信するステップと、また前記情報要求に対応する通信品質の視覚化情報を提供するステップとを含み、前記通信品質の視覚化情報は、通信品質情報が地理情報にマッピングされて生成された情報である。
【発明の効果】
【００１４】
本発明の実施形態によれば、様々な通信方式の通信品質を測定して、リアルタイムで、測定地域に対する通信品質を地理情報と同期化させ、視覚化して、提供することによって、ユーザに、複数の通信方式を提供するサービス地域においてサービス品質を満足できるガイドラインを提供し、通信の陰影地域の問題に対する解決策を提示することができる。
【００１５】
また、通信網の共用構築によるコスト削減と、周波数干渉によるサービス品質の低下を最少化することもできる。
【図面の簡単な説明】
【００１６】
【図１】本発明の第１実施形態にかかる通信品質の視覚化情報提供システムを示す図である。
【図２】図１の通信品質情報提供装置を示す図である。
【図３】本発明の第２実施形態にかかる通信品質の視覚化情報提供システムを示す図である。
【図４】図３に示された個人通信装置を示す図である。
【図５】図２の通信モジュールで行う通信品質情報の測定方法を示すフローチャートである。
【図６】図２の位置検出部で行う位置情報の取得方法を示す図である。
【図７】図２の映像撮影部で行う映像および写真情報の収集方法を示す図である。
【図８】図１の通信品質情報提供装置が行う通信品質の視覚化情報収集方法を示す図である。
【図９】図１の通信品質情報提供装置が行う通信品質の視覚化情報の提供方法を示す図である。
【発明を実施するための形態】
【００１７】
以下、添付した図面を参考しながら、本発明の実施形態について、本発明の属する技術分野における通常の知識を有する者が容易に実施できるように詳しく説明する。しかしながら、本発明は、様々な異なる形態に具現することができ、ここで説明する実施形態に限らない。また、図面において、本発明を明確に説明するのに説明と関係のない部分は省略し、明細書全体にわたって類似する部分については類似の図面符号を付けた。
【００１８】
明細書および特許請求の範囲において、或る部分が或る構成要素を「含む」とするとき、これは、特に反対になる記載がない限り、他の構成要素を除くのではなく、他の構成要素をさらに含むことができることを意味する。
【００１９】
次に、本発明の実施形態にかかる通信品質情報提供装置および方法について図面を参考しながら詳しく説明する。
【実施例】
【００２０】
図１は、本発明の第１実施形態にかかる通信品質の視覚化情報提供システムを示す図である。
【００２１】
図１を参照すると、通信品質の視覚化情報提供システムは、通信品質情報提供装置１００、管理サーバ２００、ウェブサーバ３００、地図提供サーバ４００および統合データベース５００を含み、これら通信品質情報提供装置１００、管理サーバ２００、ウェブサーバ３００、地図提供サーバ４００および統合データベース５００は、通信網を介して連結されている。
【００２２】
通信品質情報提供装置１００は少なくとも一つ以上の通信方式の通信モジュール（図示せず）を含んでおり、各通信モジュールは、それぞれの通信方式で通信を行うことができる。各通信モジュールは、該当通信方式の通信信号を送受信して、通信信号の強度、データ処理率、エラー率などのような通信品質情報を測定することができる。通信方式には、ローカルエリアネットワーク（Ｌｏｃａｌ  Ａｒｅａ  Ｎｅｔｗｏｒｋ）を利用する方式、メトロポリタンエリアネットワーク（Ｍｅｔｒｏｐｏｌｉｔａｎ  Ａｒｅａ  Ｎｅｔｗｏｒｋ）を利用する方式、広域ネットワーク（Ｗｉｄｅ  Ａｒｅａ  Ｎｅｔｗｏｒｋ）を利用する方式、衛星通信（Ｓａｔｅｌｌｉｔｅ  Ｃｏｍｍｕｎｉｃａｔｉｏｎ）を利用する方式、ＣＤＭＡ（Ｃｏｄｅ  Ｄｉｖｉｓｉｏｎ  Ｍｕｌｔｉｐｌｅｌｅ  Ａｃｃｅｓｓ）、ＬＴＥ（ｌｏｎｇ  ｔｅｒｍ  ｅｖｏｌｕｔｉｏｎ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、Ｍｏｂｉｌｅ ＷｉＭＡＸ 等があり、このほかにも、音声、映像およびデータを伝達できる他の通信方式もある。
【００２３】
通信品質情報提供装置１００は、通信モジュールによって測定された通信品質情報を地理情報とマッピングして通信品質の視覚化情報を生成し、これを管理サーバ２００へ伝達する。また、通信品質情報提供装置１００は、移動しながら通信品質情報を測定し、これをリアルタイムで地理情報とマッピングして、通信品質の視覚化情報を生成する。通信品質の視覚化とは、通信の陰影地域や、通信カバレッジ、チャネル情報のようなものを絵や色、文字をもって表示することを意味する。例えば、写真や映像において、層別にネットワークを異なる色で表示するか、陰影地域は黒色で表示するか、通信の重なる部分は 青色で表示するか、または、ウェブ上で建物をクリックすると、それぞれの通信方式に対するデータ数値を文字で表示することを意味する。通信品質情報提供装置１００は、ユーザから通信品質の視覚化情報の提供要求を受けて、これを提供することができる。このとき、通信品質情報提供装置１００は、ユーザが求めた通信品質の視覚化情報が内部データベースに存在しない場合、管理サーバ２００に接続して、該当通信品質の視覚化情報を新規に提供することができる。また、通信品質情報提供装置１００は、ユーザの要求に応じて、ウェブサーバ３００および地図提供サーバ４００と連動して、ウェブを通じて、通信品質の視覚化情報を提供するか、または地図情報だけで通信品質の視覚化情報を提供することもできる。
【００２４】
つまり、通信品質情報提供装置１００は、通信品質の視覚化情報を収集する機能も行い、ユーザの要求に応じて通信品質の視覚化情報を提供する機能も行うことができる。管理サーバ２００は、通信品質情報提供装置１００から通信品質の視覚化情報の提供を受け、これを統合データベース５００に保存して管理し、要求により、通信品質情報提供装置１００から通信品質の視覚化情報を提供することができる。
【００２５】
管理サーバ２００は、階層的に連結されている各地域の副管理サーバ（図示せず）に通信品質の視覚化情報を分散して管理することもできる。
【００２６】
ウェブサーバ３００は、管理サーバ２００から統合データベース５００に保存されている通信品質の視覚化情報の提供を受けてウェブに掲示するサーバであって、通信品質情報提供装置１００の要求により通信品質の視覚化情報をウェブを通じて提供する。
【００２７】
地図提供サーバ４００は、管理サーバ２００から統合データベース５００に保存されている通信品質の視覚化情報の提供を受け、これを地図または地理情報に表示するサーバであって、通信品質情報提供装置１００の要求により通信品質の視覚化情報を地図を通じて提供する。
【００２８】
統合データベース５００は、少なくとも一つの通信品質情報提供装置１００から伝達される通信品質の視覚化情報を保存している。
【００２９】
図２は、図１の通信品質情報提供装置を示す図である。
【００３０】
図２を参照すると、通信品質情報提供装置１００は、少なくとも一つの通信モジュール１１０、位置検出部１２０、映像撮影部１３０、視覚化装置１４０、制御部１５０、通信品質データベース１６０及びユーザインターフェース１７０を含む。
【００３１】
少なくとも一つの通信モジュール１１０は、それぞれの通信方式で通信を行い、また各通信方式の通信信号を送受信して通信品質情報を取得し、取得した通信品質情報を視覚化装置１４０と通信品質データベース１６０へ伝達する。
【００３２】
位置検出部１２０は、人工衛星からの衛星信号から通信品質情報提供装置１００の位置情報を取得し、人工衛星から衛星信号を受信できない場合には、方位および位置センサ（図示せず）を用いて通信品質情報提供装置１００の位置情報を取得する。位置検出部１２０は、通信品質情報提供装置１００の位置情報を視覚化装置１４０と通信品質データベース１６０へ伝達する。
【００３３】
映像撮影部１３０は映像情報を撮影し、通信品質情報提供装置１００の移動によって撮影した映像情報を該当地理情報に合成して映像地理情報を生成し、映像地理情報を視覚化装置１４０と通信品質データベース１６０へ伝達する。このとき、映像情報は、地理情報を示すことができる写真情報を含むことができる。
【００３４】
また映像撮影部１３０は、地理情報を保存しているか、または地理情報を要求して地図提供サーバ４００から提供を受けることもできる。このとき、地理情報は、２次元および３次元など少なくとも一つの視覚情報で構成された地理情報を含むことができる。
【００３５】
視覚化装置１４０は、通信モジュール１１０、位置検出部１２０および映像撮影部１３０から伝達された情報を同期化する装置であって、映像撮影部１３０の映像地理情報と位置検出部１２０で検出した位置情報および通信モジュール１１０で測定した通信品質情報を同期化して、通信品質の視覚化情報を生成し、通信品質データベース１６０に保存する。
【００３６】
制御部１５０は、通信モジュール１１０、位置検出部１２０、映像撮影部１３０、視覚化装置１４０および通信品質データベース１６０を制御し、管理サーバ２００の要求または周期的に、通信品質データベース１６０に保存されている通信品質の視覚化情報を管理サーバ２００へ伝達することができる。
【００３７】
制御部１５０は、ユーザインターフェース１７０を介して受信されたユーザの要求に応じて通信品質データベース１６０を検索して通信品質の視覚化情報をユーザに提供することができ、ユーザの要求に該当する通信品質の視覚化情報が通信品質データベース１６０にない場合、管理サーバ２００を通じて統合データベース５００から通信品質の視覚化情報の提供を受け、ユーザに提供することもできる。
【００３８】
また、制御部１５０は、通信モジュール１１０、位置検出部１２０、映像撮影部１３０、視覚化装置１４０、通信品質データベース１６０およびユーザインターフェース１７０のうち、少なくとも一つにおいて問題が発生した場合、これをユーザインターフェース１７０を介してユーザに知らせることができる。
【００３９】
通信品質データベース１６０は、通信モジュール１１０から伝達された通信品質情報、位置検出部１２０から伝達された位置情報、および映像撮影部１３０から伝達された映像地理情報を、それぞれ、保存する。また、通信品質データベース１６０は、視覚化装置１４０から伝達された通信品質の視覚化情報を保存する。通信品質データベース１６０に保存されたこれらの情報は、距離別の通信の送受信情報およびチャネル干渉問題、通信の負荷情報、通信陰影地域の明確な表記、ユーザが接続可能な通信方式、通信の連続性提供、通信負荷の測定による最適網選択権、通信網セキュリティなどに用いることができる。
【００４０】
ユーザインターフェース１７０はユーザと通信品質情報提供装置１００とを連結する装置であって、ユーザは、ユーザインターフェース１７０を介して通信品質情報提供装置１００に通信品質の視覚化情報を要求することができ、通信品質情報提供装置１００は、ユーザインターフェース１７０を介してユーザが要求した通信品質の視覚化情報を提供することができる。例えば、ユーザインターフェース１７０は、ユーザが選択した地域、通信方式などの情報を受信して、視覚化情報の要求命令を生成し、視覚化情報の要求命令を通信モジュール１１０、位置検出部１２０、映像撮影部１３０、視覚化装置１４０および制御部１５０に伝達し、通信品質データベース１６０に保存する。
【００４１】
図３は、本発明の第２実施形態による通信品質の視覚化情報提供システムを示す図であり、図４は、図３に示された個人通信装置を示す図である。
【００４２】
図３を参照すると、通信品質の視覚化情報提供システムは、第１実施形態に比べて個人通信装置６００をさらに含むことができる。
【００４３】
個人通信装置６００は、通信網に接続できる携帯可能な装置であって、通信品質情報提供装置１００の一部機能を行うことができる。
【００４４】
個人通信装置６００は、自分が位置するところの通信品質情報を取得して、通信品質情報提供装置１００へ提供することができ、通信網に接続して、位置情報、映像情報、及び、通信品質情報提供装置１００、管理サーバ２００、ウェブサーバ３００および地図提供サーバ４００の少なくとも一つから通信品質の視覚化情報を確認することもできる。
【００４５】
つまり、個人通信装置６００を所持した不特定多数がソーシャルネットワーク（ｓｏｃｉａｌ  ｎｅｔｗｏｒｋ）を形成して、自分が位置するところの通信品質情報を取得して、通信品質情報提供装置１００へ提供したり、ソーシャルネットワーク、地理情報提供サイト等のようなウェブサービスを通じて通信品質の視覚化情報を確認することもできる。
【００４６】
通信品質情報提供装置１００は、通信モジュール１１０を介して接続して個人通信装置６００から位置情報、映像情報および通信品質情報を受信すると、制御部１５０は視覚化装置１４０を制御して、個人通信装置６００から受信した位置情報、映像情報および通信品質情報を用いて、通信品質の視覚化情報を生成することができる。
【００４７】
図４を参照すると、個人通信装置６００は、通信モジュール６１０、位置検出部６２０、映像撮影部６３０および制御部６４０を含む。
【００４８】
これら通信モジュール６１０、位置検出部６２０、映像撮影部６３０および制御部６４０は、それぞれ、通信モジュール１１０、位置検出部１２０、映像撮影部１３０および制御部１５０の機能を行うことができる。
【００４９】
また、制御部６４０は、直接にウェブに通信品質情報を掲示することもでき、他のユーザと通信品質情報を共有することもできる。
【００５０】
図５は、図２の通信モジュールで行う通信品質情報測定方法を示すフローチャートである。
【００５１】
図５を参照すると、通信モジュール１１０は、それぞれ、自身の通信方式の通信信号を送受信する（Ｓ５１０）。
【００５２】
通信モジュール１１０は、送受信した通信信号から通信品質を測定して、通信品質情報を取得する（Ｓ５２０〜Ｓ５３０）。
【００５３】
その後、通信モジュール１１０は、取得した通信品質情報を視覚化装置１４０へ伝達し、通信品質データベース１６０に保存する（Ｓ５４０）。
【００５４】
図４の通信モジュール６１０においてもこのような方法で通信品質情報を取得することができる。
【００５５】
図６は、図２の位置検出部で行う位置情報の取得方法を示す図である。
【００５６】
図６を参照すると、位置検出部１２０は人工衛星から衛星信号を受信する（Ｓ６１０）。このとき、位置検出部１２０は、衛星信号の強度が閾値以下である場合（Ｓ６２０）、方位および位置センサ（図示せず）を用いて通信品質情報提供装置１００の位置を測定し（Ｓ６３０）、衛星信号の強度が閾値よりも大きい場合（Ｓ６２０）、衛星信号を用いて経度および緯度を計算して、通信品質情報提供装置１００の位置を測定する（Ｓ６４０）。
【００５７】
このように、位置検出部１２０は、方位および位置センサまたは衛星信号から通信品質情報提供装置１００の位置情報を取得し、位置情報を視覚化装置１４０へ伝達して、通信品質データベース１６０に保存する（Ｓ６５０）。
【００５８】
図４の位置検出部６２０においてもこのような方法で位置情報を取得することができる。
【００５９】
図７は、図２の映像撮影部で行う映像および写真情報の収集方法を示す図である。
【００６０】
図７を参照すると、映像撮影部１３０は移動しながら映像を撮影する（Ｓ７１０）。
【００６１】
映像撮影部１３０は、撮影した映像情報を該当地理情報に合成して映像地理情報を生成する（Ｓ７２０）。このとき、優先的に、映像撮影部１３０は、当該地理情報の更新の有無を確認して、当該地理情報を更新することができる。
【００６２】
映像撮影部１３０は、このような方法で取得した映像地理情報を視覚化装置１４０へ伝達し、通信品質データベース１６０に保存する（Ｓ７３０）。
【００６３】
図４の映像撮影部６３０においてもこのような方法で映像情報を取得することができる。
【００６４】
図８は、図１の通信品質情報提供装置が行う通信品質の視覚化情報の収集方法を示す図である。
【００６５】
図８を参照すると、制御部１５０は、ユーザインターフェース１７０を介してユーザから通信品質の視覚化情報の収集命令を受信する（Ｓ８１０）。
【００６６】
制御部１５０は、通信品質の視覚化情報の収集命令を通信モジュール１１０、位置検出部１２０、映像撮影部１３０および視覚化装置１４０へ伝達する。
【００６７】
通信モジュール１１０、位置検出部１２０、映像撮影部１３０および視覚化装置１４０は、制御部１５０から通信品質の視覚化情報の収集命令を受信して通信品質の視覚化情報を収集し始め、制御部１５０から通信品質の視覚化情報の収集終了命令を受信する前まで通信品質の視覚化情報を収集する。
【００６８】
通信モジュール１１０は、自身の通信方式の通信信号を送受信して、通信品質情報を取得し（Ｓ８２０）、これを視覚化装置１４０と通信品質データベース１６０に伝達する。
【００６９】
位置検出部１２０は、衛星信号、または方位および位置センサを用いて通信品質情報提供装置１００の位置情報を取得し（Ｓ８３０）、これを視覚化装置１４０と通信品質データベース１６０に伝達する。
【００７０】
映像撮影部１３０は移動しながら映像を撮影し、撮影した映像情報を地理情報にマッピングして映像地理情報を取得し（Ｓ８４０）、これを視覚化装置１４０と通信品質データベース１６０に伝達する。
【００７１】
視覚化装置１４０は、通信モジュール１１０、位置検出部１２０および映像撮影部１３０からそれぞれ伝達された通信品質情報、位置情報および映像地理情報を同期化し（Ｓ８５０）、映像地理情報に通信品質情報および位置情報をマッピングして、通信品質の視覚化情報を生成する（Ｓ８６０）。
【００７２】
視覚化装置１４０は、生成した通信品質の視覚化情報を通信品質データベース１６０に保存する（Ｓ８７０）。このとき、対応する通信品質の視覚化情報が通信品質データベース１６０に存在すると、視覚化装置１４０は、これを更新することができる。
【００７３】
図９は、図１の通信品質情報提供装置が行う通信品質の視覚化情報の提供方法を示す図である。
【００７４】
図９を参照すると、制御部１５０は、ユーザインターフェース１７０を介して、ユーザから通信品質の視覚化情報の要求を受信する（Ｓ９１０）。通信品質の視覚化情報の要求には、ユーザが選択した地域、通信方式などの情報が含まれる。
【００７５】
制御部１５０は、ユーザの要求に対応する通信品質の視覚化情報が通信品質データベース１６０に存在するか否かを確認する（Ｓ９２０）。
【００７６】
また制御部１５０は、ユーザの要求に対応する通信品質の視覚化情報が通信品質データベース１６０に存在しない場合（Ｓ９２０）、管理サーバ２００を通じて統合データベース５００に該当通信品質の視覚化情報を要求する（Ｓ９３０）。また、制御部１５０は、管理サーバ２００からユーザの要求に対応する通信品質の視覚化情報を受信して、これをユーザに提供することができる（Ｓ９４０）。反面、ユーザの要求に対応する通信品質の視覚化情報が通信品質データベース１６０に存在すると（Ｓ９２０）、制御部１５０は、当該通信品質の視覚化情報をユーザインターフェース１７０を介してユーザに提供する（Ｓ９４０）。
【００７７】
一方、ユーザがウェブを通じて通信品質の視覚化情報を要求する場合、制御部１５０は、少なくとも一つの通信モジュール１１０の中で、ウェブに接続する通信モジュール１１０を介してウェブサーバ３００に通信品質の視覚化情報を要求することができ、ウェブを通じてユーザに提供することもできる。
【００７８】
つまり、ユーザは、通信品質情報提供装置１００を用いて地理情報に基盤する通信品質の視覚化情報を確認することができ、これを用いて、通信方式を最適の通信方式に変更することによって、向上した通信品質を提供される。
【００７９】
例えば、ユーザは、ソウル市江南区に出張する前に、通信品質情報提供装置１００または個人通信装置６００を用いて、当該地域の通信品質の視覚化情報を検索する。通信品質情報提供装置１００は、当該地域に存在するＷｉＢｒｏ、無線ＬＡＮ等の少なくとも一つの通信方式、および通信方式の通信品質情報を提供する。このとき、各通信方式において下位互換（ｂａｃｋｗａｒｄ  ｃｏｍｐａｔｉｂｉｌｉｔｙ）が不可能な通信方式も共に提供することができる。
【００８０】
すると、ユーザは、これを確認して、通信品質の良い通信方式を選択して通信することができる。通信品質によって電力消耗も変わるため、良い通信方式を選択して通信することで電力消耗も減らすことができる。
【００８１】
ユーザは、移動中に通信品質情報提供装置１００または個人通信装置６００を用いて当該地域の通信品質の視覚化情報を検索することによって、通信品質の良い地域を確認してから当該地域に移動することができる。
【００８２】
また、ユーザは、移動中に通信品質情報提供装置１００または個人通信装置６００を用いて当該地域の通信品質の視覚化情報を検索することによって、通信負荷情報を確認することができる。
【００８３】
また、通信品質は変調およびコーディング方式によって伝送速度が異なるため、通信品質情報提供装置１００または個人通信装置６００を用いて当該地域の通信品質の視覚化情報を検索することによって、通信速度および陰影地域を把握することができ、通信品質の視覚化情報を用いて通信地図を描くことができるため、セキュリティおよび陰影地域を解決することもできる。
【００８４】
無線機器の普及率の増加とＡＰ（Ａｃｃｅｓｓ  Ｐｏｉｎｔ）の拡大供給により無線インターネット利用率も急増している。しかし、無線ユーザの過度の接続によって、本来のユーザのネットワークが不安になったり、あるいは遅くなることもある。また、開放ネットワークに接続してハッキングを試みたり、各種情報を流出して犯罪に悪用するなど、セキュリティ問題が無線インターネットの活性化に大きな障害物となっている。しかしながら、ユーザは、通信品質情報提供装置１００および個人通信装置６００を通じて地理情報基盤の通信品質の視覚化情報を確認することによって、最適の通信品質を維持しながらサービス提供を受けることができる。
【００８５】
本発明の実施形態は、以上で説明した装置および／または方法によってのみ具現されるものではなく、本発明の実施形態の構成に対応する機能を実現するプログラムまたはそのプログラムが記録された記録媒体を通じて具現されることもできる。また、かかる具現は、本発明の属する技術分野における専門家であれば先に説明した実施形態の記載から簡単に具現できるものである。
【００８６】
以上、本発明の実施形態について詳しく説明したが、本発明の権利範囲はこれに限定されるのではなく、次の特許請求の範囲において定義している本発明の基本概念を用いた当業者の様々な変形および改良形態、また本発明の権利範囲に属するものである。
【符号の説明】
【００８７】
１００      通信品質情報提供装置
２００      管理サーバ
３００      ウェブサーバ
４００      地図提供サーバ
５００      統合データベース
１１０，６１０      通信モジュール
１２０，６２０      位置検出部
１３０，６３０      映像撮影部
１４０      視覚化装置
１５０      制御部
１６０      通信品質データベース
１７０      ユーザインターフェース
６００      個人通信装置
６４０      制御部
【図１】
2012114895.tif 000003
【図２】
2012114895.tif 000004
【図３】
2012114895.tif 000005
【図４】
2012114895.tif 000006
【図５】
2012114895.tif 000007
【図６】
2012114895.tif 000008
【図７】
2012114895.tif 000009
【図８】
2012114895.tif 000010
【図９】
2012114895.tif 000011